(57)【要約】【課題】同じ機種が別々の部屋に設置されると間違って選択してしまうという課題があった。【解決手段】機器管理システムにおいて、ＶＴＲ１２０は、ＶＴＲ１２０に電力を供給するＡＣ電源の周波数より高い周波数の照度変化が所定時間以上継続する光が検出された場合に、光を検出したことをＴＶ１１０に通知する。ＴＶ１１０は、ＴＶ１１０に電力を供給するＡＣ電源の周波数より高い周波数の照度変化が所定時間以上継続する光が検出され、且つその光の検出時から所定時間以内にＶＴＲ１２０から光を検出したことが通知された場合に、ＶＴＲ１２０が同じグループに属すると判定する。ＴＶ１１０は、ＶＴＲ１２０が同じグループに属すると判定された場合、ＴＶ１１０の機器名をＶＴＲ１２０に通知する。【選択図】図１
2011114808.tif 000002
【特許請求の範囲】
【請求項１】
第１の機器と、
前記第１の機器とネットワークを介して接続された第２の機器と、
を備え、
前記第１の機器は、光の明滅を検出する第１光検出部と、前記第２の機器への通知を行う第１通知部と、を有し、
前記第２の機器は、光の明滅を検出する第２光検出部と、前記第１の機器への通知を行う第２通知部と、前記第２の機器と同じ光源によって照らされる機器が属するグループ内の機器であるか否かを判定する同一判定部と、を有し、
前記第１通知部は、前記第１の機器に電力を供給するＡＣ電源の周波数より高い周波数の照度変化が所定時間以上継続する光が前記第１光検出部によって検出された場合に、光を検出したことを第２の機器に通知し、
前記同一判定部は、前記第２の機器に電力を供給するＡＣ電源の周波数より高い周波数の照度変化が所定時間以上継続する光が前記第２光検出部によって検出され、且つその光の検出時から所定時間以内に前記第１の機器から光を検出したことが通知された場合に、前記第１の機器が前記グループに属すると判定し、
前記第２通知部は、前記第１の機器が前記グループに属すると判定された場合、前記グループの識別情報を前記第１の機器に通知することを特徴とする機器管理システム。
【請求項２】
第１の機器と、
前記第１の機器とネットワークを介して接続された第２の機器と、
を備え、
前記第１の機器は、光の明滅を検出する第１光検出部と、前記第２の機器への通知を行う第１通知部と、を有し、
前記第２の機器は、光の明滅を検出する第２光検出部と、前記第１の機器への通知を行う第２通知部と、同じ光源によって照らされる機器が属するグループ内の機器であるか否かを判定する同一判定部と、を有し、
前記第１の機器および前記第２の機器の各々は、光の照度変化のパターンと前記グループの識別情報との対応関係が定められたテーブルを保持し、
前記第１通知部は、前記テーブルに定められた光の照度変化が前記第１光検出部によって検出された場合に、光を検出したことを第２の機器に通知し、
前記同一判定部は、前記テーブルに定められた光の照度変化が前記第２光検出部によって検出され、且つその光の検出時から所定時間以内に前記第１の機器から光を検出したことが通知された場合に、検出された光の照度変化に前記テーブルにおいて対応付けられたグループに前記第１の機器および前記第２の機器が属すると判定し、
前記第２通知部は、前記第１の機器および前記第２の機器が属すると判定されたグループの識別情報を前記第１の機器に通知することを特徴とする機器管理システム。
【請求項３】
第１の機器において、前記第１の機器に電力を供給するＡＣ電源の周波数より高い周波数の照度変化が所定時間以上継続する光が検出された場合に、前記第１の機器とネットワークを介して接続された第２の機器に、光を検出したことを通知するステップと、
前記第２の機器において、前記第２の機器に電力を供給するＡＣ電源の周波数より高い周波数の照度変化が所定時間以上継続する光が検出され、且つその光の検出時から所定時間以内に前記第１の機器から光を検出したことが通知された場合に、前記第１の機器が、前記第２の機器と同じ光源によって照らされる機器が属すべきグループに属すると判定するステップと、
前記第１の機器が前記グループに属すると判定された場合、前記グループの識別情報を前記第１の機器に通知するステップと、
を備えることを特徴とする機器管理方法。
【請求項４】
光の照度変化のパターンと、同じ光源によって照らされる機器が属するグループの識別情報との対応関係が定められたテーブルを保持する第１の機器において、前記テーブルに定められた光の照度変化が検出された場合に、前記第１の機器とネットワークを介して接続され且つ前記テーブルを保持する第２の機器に、光を検出したことを通知するステップと、
前記第２の機器において、前記テーブルに定められた光の照度変化が検出され、且つその光の検出時から所定時間以内に前記第１の機器から光を検出したことが通知された場合に、検出された光の照度変化に前記テーブルにおいて対応付けられたグループに前記第１の機器および前記第２の機器が属すると判定するステップと、
前記第１の機器および前記第２の機器が属すると判定されたグループの識別情報を前記第１の機器に通知するステップと、
を備えることを特徴とする機器管理方法。
【請求項５】
ネットワークに接続された通信機器において、
光の明滅を検出する光検出部と、
ネットワークを介して他の機器に通知を行う通知部と、
前記通信機器と同じ光源によって照らされる機器が属するグループ内の機器であるか否かを判定する同一判定部と、
を備え、
前記同一判定部は、前記通信機器に電力を供給するＡＣ電源の周波数より高い周波数の照度変化が所定時間以上継続する光が前記光検出部によって検出され、且つその光の検出時から所定時間以内に、ネットワークに接続された第１の機器から、前記第１の機器に電力を供給するＡＣ電源の周波数より高い周波数の照度変化が所定時間以上継続する光が検出されたことが通知された場合に、前記第１の機器が前記グループに属すると判定し、
前記通知部は、前記第１の機器が前記グループに属すると判定された場合、前記グループの識別情報を前記第１の機器に通知することを特徴とする通信機器。
【請求項６】
第１の機器と、
前記第１の機器とネットワークを介して接続された第２の機器と、
を備え、
前記第１の機器は、光の明滅を検出する第１光検出部と、前記第２の機器への通知を行う第１通知部と、前記第１の機器と同じ光源によって照らされる機器が属するグループの識別情報が格納された第１記憶部と、を有し、
前記第２の機器は、光の明滅を検出する第２光検出部と、前記第１の機器への通知を行う第２通知部と、前記第２の機器と同じグループ内の機器であるか否かを判定する同一判定部と、前記第２の機器の識別情報を生成する識別情報生成部と、前記第２の機器の識別情報が格納されるべき第２記憶部と、を有し、
前記第１通知部は、前記第１の機器に電力を供給するＡＣ電源の周波数より高い周波数の照度変化が所定時間以上継続する光が前記第１光検出部によって検出された場合に、光を検出したこと、および前記グループの識別情報を第２の機器に通知し、
前記同一判定部は、前記第２の機器に電力を供給するＡＣ電源の周波数より高い周波数の照度変化が所定時間以上継続する光が前記第２光検出部によって検出され、且つその光の検出時から所定時間以内に前記第１の機器から光を検出したことが通知された場合に、前記第２の機器が前記グループに属すると判定し、
前記識別情報生成部は、前記第２の機器が前記グループに属すると判定された場合、通知された前記グループの識別情報を利用して前記第２の機器の識別情報を生成し、
前記第２記憶部は、生成された前記第２の機器の識別情報を格納し、
前記第２通知部は、生成された前記第２の機器の識別情報を前記第１の機器に通知し、
前記第１記憶部は、通知された前記第２の機器の識別情報を格納することを特徴とする機器管理システム。
【請求項７】
第１の機器と、
前記第１の機器とネットワークを介して接続された第２の機器と、
を備え、
前記第１の機器は、光の明滅を検出する第１光検出部と、前記第２の機器への通知を行う第１通知部と、前記第１の機器と同じ光源によって照らされる機器が属するグループの識別情報との対応関係が定められたテーブルが格納された第１記憶部と、を有し、
前記第２の機器は、光の明滅を検出する第２光検出部と、前記第１の機器への通知を行う第２通知部と、同じ光源によって照らされる機器が属するグループ内の機器であるか否かを判定する同一判定部と、前記テーブルが格納された第２記憶部と、前記第２の機器の識別情報を生成する識別情報生成部と、を有し、
前記第１通知部は、前記テーブルに定められた光の照度変化が前記第１光検出部によって検出された場合に、光を検出したこと、および検出された光の照度変化に前記テーブルにおいて対応付けられた前記グループの識別情報を第２の機器に通知し、
前記同一判定部は、前記テーブルに定められた光の照度変化が前記第２光検出部によって検出され、且つその光の検出時から所定時間以内に前記第１の機器から光を検出したことが通知された場合に、通知された前記グループの識別情報によって特定されるグループに前記第１の機器および前記第２の機器が属すると判定し、
前記識別情報生成部は、通知された前記グループの識別情報によって特定されるグループに前記第１の機器および前記第２の機器が属すると判定された場合、通知された前記グループの識別情報を利用して前記第２の機器の識別情報を生成し、
前記第２記憶部は、生成された前記第２の機器の識別情報を格納し、
前記第２通知部は、生成された前記第２の機器の識別情報を前記第１の機器に通知し、
前記第１記憶部は、通知された前記第２の機器の識別情報を格納することを特徴とする機器管理システム。
【請求項８】
第１の機器において、前記第１の機器に電力を供給するＡＣ電源の周波数より高い周波数の照度変化が所定時間以上継続する光が検出された場合に、前記第１の機器とネットワークを介して接続された第２の機器に、光を検出したこと、および前記第１の機器と同じ光源によって照らされる機器が属するグループの識別情報を通知するステップと、
前記第２の機器において、前記第２の機器に電力を供給するＡＣ電源の周波数より高い周波数の照度変化が所定時間以上継続する光が検出され、且つその光の検出時から所定時間以内に前記第１の機器から光を検出したことが通知された場合に、前記第２の機器が前記グループに属すると判定するステップと、
前記第２の機器が前記グループに属すると判定された場合、前記第２の機器において、通知された前記グループの識別情報を利用して前記第２の機器の識別情報を生成し格納するステップと、
生成された前記第２の機器の識別情報を前記第１の機器に通知するステップと、
通知された前記第２の機器の識別情報を前記第１の機器において格納するステップと、
を備えることを特徴とする機器管理方法。
【請求項９】
光の照度変化のパターンと、同じ光源によって照らされる機器が属するグループの識別情報との対応関係が定められたテーブルを保持する第１の機器において、前記テーブルに定められた光の照度変化が検出された場合に、前記第１の機器とネットワークを介して接続され且つ前記テーブルを保持する第２の機器に、光を検出したこと、および検出された光の照度変化に前記テーブルにおいて対応付けられた前記グループの識別情報を第２の機器に通知するステップと、
前記第２の機器において、前記テーブルに定められた光の照度変化が検出され、且つその光の検出時から所定時間以内に前記第１の機器から光を検出したことが通知された場合に、通知された前記グループの識別情報によって特定されるグループに前記第１の機器および前記第２の機器が属すると判定するステップと、
通知された前記グループの識別情報によって特定されるグループに前記第１の機器および前記第２の機器が属すると判定された場合、前記第２の機器において、通知された前記グループの識別情報を利用して前記第２の機器の識別情報を生成し格納するステップと、
生成された前記第２の機器の識別情報を前記第１の機器に通知するステップと、
前記第１の機器において、通知された前記第２の機器の識別情報を格納するステップと、
を備えることを特徴とする機器管理方法。
【請求項１０】
ネットワークに接続された通信機器において、
光の明滅を検出する光検出部と、
ネットワークを介して他の機器に通知を行う通知部と、
同じ光源によって照らされる機器が属するグループ内の機器であるか否かを判定する同一判定部と、
前記通信機器の識別情報を生成する識別情報生成部と、
前記通信機器の識別情報が格納されるべき記憶部と、
を備え、
前記同一判定部は、前記通信機器に電力を供給するＡＣ電源の周波数より高い周波数の照度変化が所定時間以上継続する光が前記光検出部によって検出され、且つその光の検出時から所定時間以内に、ネットワークに接続された第１の機器から、前記第１の機器に電力を供給するＡＣ電源の周波数より高い周波数の照度変化が所定時間以上継続する光が検出されたことが通知された場合に、前記第１の機器が属するグループに前記通信機器が属すると判定し、
前記識別情報生成部は、前記第１の機器が属するグループに前記通信機器が属すると判定された場合、前記光が検出されたことと共に前記第１の機器から通知された前記第１の機器が属するグループの識別情報を利用して前記通信機器の識別情報を生成し、
前記記憶部は、生成された前記通信機器の識別情報を格納し、
前記通知部は、生成された前記通信機器の識別情報を前記第１の機器に通知することを特徴とする通信機器。
【発明の詳細な説明】
【技術分野】
【０００１】
本発明は、家庭内で複数の機器をネットワークで接続し、映像、音声やデータを送受信するホームネットワークシステムに関するものであり、特に機器の選択に関するものである。
【背景技術】
【０００２】
家庭内でＡＶ機器をネットワークに接続し、異なる部屋の録画機器の映像を自分の部屋で見るという使い方が増えてきた。ネットワークに接続する機器が少ないうちは、機器を選択する際に、どこの部屋に設置した機器か容易に把握することが出来る。しかし、ネットワークに接続する機器が増えてくると、どの部屋に設置した機器か把握するのが困難になってくる。特に同じ機器を１Ｆの居間と2階の子供部屋に設置したような場合、機器の名前だけでは判断できない。このため、映像や音声を出力する機器（ＴＶやスピーカなど）を指定する場合、今いる部屋の機器がどれかをきちんと把握出来ないので、間違って別の部屋のスピーカから音を出してしまったりする場合がある。従来は、機器の名前のあとに番号を付与して区別したり、部屋の中からアクセスできる機器の一覧を表示して、間違えないようにしている（特許文献１参照）。
【先行技術文献】
【特許文献】
【０００３】
【特許文献１】特開２００１−３０９４５７号公報
【発明の概要】
【発明が解決しようとする課題】
【０００４】
しかしながら、機器名のあとに番号を付与する方法では、家庭内に接続する機器が増えてくるに従い、把握しづらくなってくる。
【０００５】
上述の特許文献１に記載される技術では、サーバのようにどの部屋からでもアクセス可能なグローバル機器も表示されるため、やはり、同じ機種が別々の部屋に設置されると間違って選択してしまうという課題があった。
【０００６】
本発明は上述した課題を解決するためになされたものであり、その目的は、ネットワークに接続された機器は常に光の照度変化を監視しており、家庭内のどこでも照度変化が検出できるような自然光の照度変化ではなく、その部屋に設置された機器のみが検出できるような照明の照度変化を検出し、ほぼ同時期に照度変化を検出した機器に、同じグループ名を機器名に付加することで、同一部屋内の機器であることを区別できるようにし、ユーザの機器選択における誤選択をなくすことにある。
【課題を解決するための手段】
【０００７】
上記課題を解決するために、本発明のある態様の機器管理システムは、第１の機器と、第１の機器とネットワークを介して接続された第２の機器と、を備える。第１の機器は、光の明滅を検出する第１光検出部と、第２の機器への通知を行う第１通知部と、を有する。第２の機器は、光の明滅を検出する第２光検出部と、第１の機器への通知を行う第２通知部と、第２の機器と同じ光源によって照らされる機器が属するグループ内の機器であるか否かを判定する同一判定部と、を有する。第１通知部は、第１の機器に電力を供給するＡＣ電源の周波数より高い周波数の照度変化が所定時間以上継続する光が第１光検出部によって検出された場合に、光を検出したことを第２の機器に通知し、同一判定部は、第２の機器に電力を供給するＡＣ電源の周波数より高い周波数の照度変化が所定時間以上継続する光が第２光検出部によって検出され、且つその光の検出時から所定時間以内に第１の機器から光を検出したことが通知された場合に、第１の機器がグループに属すると判定し、第２通知部は、第１の機器がグループに属すると判定された場合、グループの識別情報を第１の機器に通知する。
【０００８】
本発明の別の態様もまた、機器管理システムである。この機器管理システムは、第１の機器と、第１の機器とネットワークを介して接続された第２の機器と、を備える。第１の機器は、光の明滅を検出する第１光検出部と、第２の機器への通知を行う第１通知部と、を有する。第２の機器は、光の明滅を検出する第２光検出部と、第１の機器への通知を行う第２通知部と、同じ光源によって照らされる機器が属するグループ内の機器であるか否かを判定する同一判定部と、を有する。第１の機器および第２の機器の各々は、光の照度変化のパターンとグループの識別情報との対応関係が定められたテーブルを保持し、第１通知部は、テーブルに定められた光の照度変化が第１光検出部によって検出された場合に、光を検出したことを第２の機器に通知し、同一判定部は、テーブルに定められた光の照度変化が第２光検出部によって検出され、且つその光の検出時から所定時間以内に第１の機器から光を検出したことが通知された場合に、検出された光の照度変化にテーブルにおいて対応付けられたグループに第１の機器および第２の機器が属すると判定し、第２通知部は、第１の機器および第２の機器が属すると判定されたグループの識別情報を第１の機器に通知する。
【０００９】
本発明のさらに別の態様は、機器管理方法である。この方法は、第１の機器において、第１の機器に電力を供給するＡＣ電源の周波数より高い周波数の照度変化が所定時間以上継続する光が検出された場合に、第１の機器とネットワークを介して接続された第２の機器に、光を検出したことを通知するステップと、第２の機器において、第２の機器に電力を供給するＡＣ電源の周波数より高い周波数の照度変化が所定時間以上継続する光が検出され、且つその光の検出時から所定時間以内に第１の機器から光を検出したことが通知された場合に、第１の機器が、第２の機器と同じ光源によって照らされる機器が属すべきグループに属すると判定するステップと、第１の機器がグループに属すると判定された場合、グループの識別情報を第１の機器に通知するステップと、を備える。
【００１０】
本発明のさらに別の態様もまた、機器管理方法である。この方法は、光の照度変化のパターンと、同じ光源によって照らされる機器が属するグループの識別情報との対応関係が定められたテーブルを保持する第１の機器において、テーブルに定められた光の照度変化が検出された場合に、第１の機器とネットワークを介して接続され且つテーブルを保持する第２の機器に、光を検出したことを通知するステップと、第２の機器において、テーブルに定められた光の照度変化が検出され、且つその光の検出時から所定時間以内に第１の機器から光を検出したことが通知された場合に、検出された光の照度変化にテーブルにおいて対応付けられたグループに第１の機器および第２の機器が属すると判定するステップと、第１の機器および第２の機器が属すると判定されたグループの識別情報を第１の機器に通知するステップと、を備える。
【００１１】
本発明のさらに別の態様は、通信機器である。この通信機器は、ネットワークに接続された通信機器において、光の明滅を検出する光検出部と、ネットワークを介して他の機器に通知を行う通知部と、通信機器と同じ光源によって照らされる機器が属するグループ内の機器であるか否かを判定する同一判定部と、を備える。同一判定部は、通信機器に電力を供給するＡＣ電源の周波数より高い周波数の照度変化が所定時間以上継続する光が光検出部によって検出され、且つその光の検出時から所定時間以内に、ネットワークに接続された第１の機器から、第１の機器に電力を供給するＡＣ電源の周波数より高い周波数の照度変化が所定時間以上継続する光が検出されたことが通知された場合に、第１の機器がグループに属すると判定し、通知部は、第１の機器がグループに属すると判定された場合、グループの識別情報を第１の機器に通知する。
【００１２】
本発明のさらに別の態様は、機器管理システムである。この機器管理システムは、第１の機器と、第１の機器とネットワークを介して接続された第２の機器と、を備える。第１の機器は、光の明滅を検出する第１光検出部と、第２の機器への通知を行う第１通知部と、第１の機器と同じ光源によって照らされる機器が属するグループの識別情報が格納された第１記憶部と、を有する。第２の機器は、光の明滅を検出する第２光検出部と、第１の機器への通知を行う第２通知部と、第２の機器と同じグループ内の機器であるか否かを判定する同一判定部と、第２の機器の識別情報を生成する識別情報生成部と、第２の機器の識別情報が格納されるべき第２記憶部と、を有する。第１通知部は、第１の機器に電力を供給するＡＣ電源の周波数より高い周波数の照度変化が所定時間以上継続する光が第１光検出部によって検出された場合に、光を検出したこと、およびグループの識別情報を第２の機器に通知し、同一判定部は、第２の機器に電力を供給するＡＣ電源の周波数より高い周波数の照度変化が所定時間以上継続する光が第２光検出部によって検出され、且つその光の検出時から所定時間以内に第１の機器から光を検出したことが通知された場合に、第２の機器がグループに属すると判定し、識別情報生成部は、第２の機器がグループに属すると判定された場合、通知されたグループの識別情報を利用して第２の機器の識別情報を生成し、第２記憶部は、生成された第２の機器の識別情報を格納し、第２通知部は、生成された第２の機器の識別情報を第１の機器に通知し、第１記憶部は、通知された第２の機器の識別情報を格納する。
【００１３】
本発明のさらに別の態様もまた、機器管理システムである。この機器管理システムは、第１の機器と、第１の機器とネットワークを介して接続された第２の機器と、を備える。第１の機器は、光の明滅を検出する第１光検出部と、第２の機器への通知を行う第１通知部と、第１の機器と同じ光源によって照らされる機器が属するグループの識別情報との対応関係が定められたテーブルが格納された第１記憶部と、を有する。第２の機器は、光の明滅を検出する第２光検出部と、第１の機器への通知を行う第２通知部と、同じ光源によって照らされる機器が属するグループ内の機器であるか否かを判定する同一判定部と、テーブルが格納された第２記憶部と、第２の機器の識別情報を生成する識別情報生成部と、を有する。第１通知部は、テーブルに定められた光の照度変化が第１光検出部によって検出された場合に、光を検出したこと、および検出された光の照度変化にテーブルにおいて対応付けられたグループの識別情報を第２の機器に通知し、同一判定部は、テーブルに定められた光の照度変化が第２光検出部によって検出され、且つその光の検出時から所定時間以内に第１の機器から光を検出したことが通知された場合に、通知されたグループの識別情報によって特定されるグループに第１の機器および第２の機器が属すると判定し、識別情報生成部は、通知されたグループの識別情報によって特定されるグループに第１の機器および第２の機器が属すると判定された場合、通知されたグループの識別情報を利用して第２の機器の識別情報を生成し、第２記憶部は、生成された第２の機器の識別情報を格納し、第２通知部は、生成された第２の機器の識別情報を第１の機器に通知し、第１記憶部は、通知された第２の機器の識別情報を格納する。
【００１４】
本発明のさらに別の態様は、機器管理方法である。この方法は、第１の機器において、第１の機器に電力を供給するＡＣ電源の周波数より高い周波数の照度変化が所定時間以上継続する光が検出された場合に、第１の機器とネットワークを介して接続された第２の機器に、光を検出したこと、および第１の機器と同じ光源によって照らされる機器が属するグループの識別情報を通知するステップと、第２の機器において、第２の機器に電力を供給するＡＣ電源の周波数より高い周波数の照度変化が所定時間以上継続する光が検出され、且つその光の検出時から所定時間以内に第１の機器から光を検出したことが通知された場合に、第２の機器がグループに属すると判定するステップと、第２の機器がグループに属すると判定された場合、第２の機器において、通知されたグループの識別情報を利用して第２の機器の識別情報を生成し格納するステップと、生成された第２の機器の識別情報を第１の機器に通知するステップと、通知された第２の機器の識別情報を第１の機器において格納するステップと、を備える。
【００１５】
本発明のさらに別の態様もまた、機器管理方法である。この方法は、光の照度変化のパターンと、同じ光源によって照らされる機器が属するグループの識別情報との対応関係が定められたテーブルを保持する第１の機器において、テーブルに定められた光の照度変化が検出された場合に、第１の機器とネットワークを介して接続され且つテーブルを保持する第２の機器に、光を検出したこと、および検出された光の照度変化にテーブルにおいて対応付けられたグループの識別情報を第２の機器に通知するステップと、第２の機器において、テーブルに定められた光の照度変化が検出され、且つその光の検出時から所定時間以内に第１の機器から光を検出したことが通知された場合に、通知されたグループの識別情報によって特定されるグループに第１の機器および第２の機器が属すると判定するステップと、通知されたグループの識別情報によって特定されるグループに第１の機器および第２の機器が属すると判定された場合、第２の機器において、通知されたグループの識別情報を利用して第２の機器の識別情報を生成し格納するステップと、生成された第２の機器の識別情報を第１の機器に通知するステップと、第１の機器において、通知された第２の機器の識別情報を格納するステップと、を備える。
【００１６】
本発明のさらに別の態様は、通信機器である。この通信機器は、ネットワークに接続された通信機器において、光の明滅を検出する光検出部と、ネットワークを介して他の機器に通知を行う通知部と、同じ光源によって照らされる機器が属するグループ内の機器であるか否かを判定する同一判定部と、通信機器の識別情報を生成する識別情報生成部と、通信機器の識別情報が格納されるべき記憶部と、を備える。同一判定部は、通信機器に電力を供給するＡＣ電源の周波数より高い周波数の照度変化が所定時間以上継続する光が光検出部によって検出され、且つその光の検出時から所定時間以内に、ネットワークに接続された第１の機器から、第１の機器に電力を供給するＡＣ電源の周波数より高い周波数の照度変化が所定時間以上継続する光が検出されたことが通知された場合に、第１の機器が属するグループに通信機器が属すると判定し、識別情報生成部は、第１の機器が属するグループに通信機器が属すると判定された場合、光が検出されたことと共に第１の機器から通知された第１の機器が属するグループの識別情報を利用して通信機器の識別情報を生成し、記憶部は、生成された通信機器の識別情報を格納し、通知部は、生成された通信機器の識別情報を第１の機器に通知する。
【発明の効果】
【００１７】
本発明によれば、部屋を識別する情報を機器名に付与することで、同一機種が別々の部屋に設置されても間違って選択することを防ぐという効果を得ることが出来る。また、照明の照度変化のパターンと部屋名をあらかじめ対応させておき、ユーザは照明をＯＮ／ＯＦＦするだけで、部屋名を容易に設定することが出来るという効果を得ることができる。
【図面の簡単な説明】
【００１８】
【図１】本発明の実施例を示すシステム構成の一例を示す図である。
【図２】実施例１に係るＴＶの機能ブロック図である。
【図３】実施例１に係るＶＴＲの機能ブロック図である。
【図４】実施例１に係るＳＰＫの機能ブロック図である。
【図５】同一の部屋であることを判断するフローチャートである。
【図６】実施例１の通常動作を示すシーケンス図である。
【図７】実施例１の光検出通知の衝突動作を示すシーケンス図である。
【図８】実施例２に係るＴＶの機能ブロック図である。
【図９】実施例２に係るＶＴＲの機能ブロック図である。
【図１０】実施例２に係るＳＰＫの機能ブロック図である。
【図１１】実施例２の動作を示すシーケンス図である。
【図１２】実施例３に係るＴＶの機能ブロック図である。
【図１３】実施例３に係るＶＴＲの機能ブロック図である。
【図１４】実施例３に係るＳＰＫの機能ブロック図である。
【図１５】実施例３の動作を示すシーケンス図である。
【図１６】実施例３の代表機器の動作を示すフローチャートである。
【図１７】実施例３の機器動作を示すフローチャートである。
【図１８】実施例４の動作を示すシーケンス図である。
【図１９】実施例４の動作を示すフローチャートである。
【図２０】照明の照度変化のパターンと部屋識別情報の対応テーブルの一例を示す図である。
【図２１】モールス信号と部屋識別情報の例を示す図である。
【発明を実施するための形態】
【００１９】
（実施例１）
［機器名＋機器名でグルーピング］
まず、グルーピングの方法について、説明する。部屋の照明の光を検出すると、検出したことを自機器の機器名と一緒にブロードキャストする。他の機器は、部屋の照明を検出してから所定時間以内に通知を受けると、同じ部屋の照明を検出した同じ部屋の機器であると判定する。そして、最初に受信した光検出通知に含まれる機器名をグルーピング名とし、機器の名前をグルーピング名＋機器名に更新する。この時、自然光の変化などを照明と誤認識すると、他の部屋の機器も一緒にグルーピングしてしまうため、検出した照度変化の周波数とＡＣ電源の周波数と比較することで、部屋の照明と判定する。
【００２０】
図１は、本発明の実施例を示すシステム構成の一例を示す図である。図１では、家庭内のＡＶ機器をネットワークに接続したシステム例を示している。１Ｆの居間には、ＴＶ（television）１１０、ＶＴＲ（video tape recorder）１２０、スピーカ（以下、「ＳＰＫ」という）１３０、１３１がネットワークに接続されている。玄関には、ＶＴＲ２２０が接続されている。２Ｆの子供部屋には、ＴＶ３１０、ＶＴＲ３２０、ＳＰＫ３３０、３３１が接続されている。
【００２１】
図２は、実施例１に係るＴＶ１１０の機能ブロック図である。ＴＶ１１０は、光検出部１１１１、同一判定部１１１２、光検出受信部１１１３、名前生成部１１１４、機器名記憶部１１１５、受信部１１１６、送信部１１１７、光検出通知部１１１８、およびグルーピングテーブル１１１９を有する。
【００２２】
図３は、実施例１に係るＶＴＲ１２０の機能ブロック図である。ＶＴＲ１２０は、光検出部１２１１、同一判定部１２１２、光検出受信部１２１３、名前生成部１２１４、機器名記憶部１２１５、受信部１２１６、送信部１２１７、光検出通知部１２１８、およびグルーピングテーブル１２１９を有する。
【００２３】
図４は、実施例１に係るＳＰＫ１３０の機能ブロック図である。ＳＰＫ１３０は、光検出部１３１１、同一判定部１３１２、光検出受信部１３１３、名前生成部１３１４、機器名記憶部１３１５、受信部１３１６、送信部１３１７、光検出通知部１３１８、およびグルーピングテーブル１３１９を有する。
【００２４】
図５は、同一の部屋であることを判定するフローチャートである。図６は、実施例１の通常動作を示すシーケンス図である。また、図７は、実施例１の光検出通知の衝突動作を示すシーケンス図である。以下、図５〜図７に関連して同一の部屋であることを判定する処理について説明する。
【００２５】
部屋の照明が点灯されると、ＴＶ１１０の光検出部１１１１は、照度変化を検出し、その照度変化の周波数とＡＣ電源の周波数の比較を開始する。ＡＣ電源の周波数より低ければ自然光の変化や家庭内での懐中電灯の検出等と判定し、検出を無視する。
【００２６】
所定時間（例えば５秒）以上ＡＣ電源の周波数より高い周波数の照度変化が継続した場合は、部屋内の光を検出したと判定し（Ｓ１）、同一判定部１１１２に通知する。同一判定部１１１２は、光の検出を通知された時刻を記憶し、他の機器から光検出通知を既に受信しているかどうか光検出部１１１１に返答する。
【００２７】
光検出部１１１１は、他の機器から光検出通知を受信していなければ、光検出通知部１１１８に光を検出したことを通知する（Ｓ２）。光検出通知部１１１８は、光検出部１１１１から通知を受けると、機器名記憶部１１１５に機器名（例えば１ＦＴＶとする）を問い合わせ、返答された機器名と共に光検出通知を生成し、送信部１１１７を介してネットワーク上にブロードキャストする（Ｓ９）。
【００２８】
光検出通知を受信したときの処理についてＳＰＫ１３０を例に説明する。光検出受信部１３１３は、受信部１３１６を介して光検出通知を受信すると（Ｓ２）、受信した機器名と共に同一判定部１３１２に通知する。同一判定部１３１２は、光検出通知部１３１８から通知されると、光を検出済みかどうか調べ、検出後、所定時間（Ｔ２：例えば５００ｍｓ）以内であれば、受信した機器名（１ＦＴＶ）を名前生成部１３１４に通知し（Ｓ３）、所定時間を超えていればその通知を無視する（Ｓ１６）。
【００２９】
名前生成部１３１４は、機器名記憶部１３１５に自機器の機器名（ＳＰＫ）を問い合わせ、受信した機器名（１ＦＴＶ）をグルーピング名とし、送信部１３１７を介して光検出通知を送信してきた機器に対して新たな機器名（１ＦＴＶ−ＳＰＫ）を送信する（Ｓ５）。また、グルーピング名の記憶を機器名記憶部１３１５に依頼する（Ｓ４）。
【００３０】
ＴＶ１１０の受信部１１１６は、各機器からグループ名の付加された機器名を受信すると（Ｓ１３）、グルーピングテーブル１１１９に登録し（Ｓ１４）、同じ部屋のグループとして管理する。他のＳＰＫ１３１やＶＴＲ１２０も動作は、同様のため、説明は省く。
【００３１】
上記は、光検出通知を１台しか送出しない単純な例だが、タイミングによっては複数の機器が光検出通知を送出することがある。このような場合について説明する。
【００３２】
部屋の照明が点灯されると、ＴＶ１１０の光検出部１１１１は、上記と同様の動作で光を検出し（Ｓ１）、同一判定部１１１２に通知する。同一判定部１１１２は、光検出を通知された時刻を記憶し、他の機器から光検出通知を既に受信しているかどうか光検出部１１１１に返答する（Ｓ２）。光検出部１１１１は、他の機器から光検出通知を受信していなければ、光検出通知部１１１８に光を検出したことを通知する。
【００３３】
光検出通知部１１１８は、光検出部１１１１から通知を受けると、機器名記憶部１１１５に機器名（例えば１ＦＴＶとする）を問い合わせ、返答された機器名と共に光検出通知を生成し、送信部１１１７を介してネットワーク上にブロードキャストする（Ｓ９）。ここで、光検出受信部１１１３は、所定時間以内に受信部１１１６を介して他の機器から光検出通知を受信したとする（Ｓ１０）。光検出受信部１１１３は、同一判定部１１１２に受信した機器名と共に光検出通知を受信したことを通知する。
【００３４】
同一判定部１１１２は、光検出受信部１１１３から通知されると、自身の光検出後、所定時間以内の受信か、また、既に光検出通知を自身が送出済みかどうか確認する（Ｓ１０）。この例では、既に、光検出通知を送出してるため、光検出の送出が衝突したと判定し、既に受信した他の機器名を登録したグルーピングテーブル１１１９をクリアし（Ｓ１１）、光検出通知の送出済み状態をクリアし、ランダムに決定される再送待ち時間（Ｔ１―ｔ１：例えば５００ｍｓ）を経過した後（Ｓ１２）、再度、光検出通知を、送信部１１１７を介してネットワーク上にブロードキャストする（Ｓ９）。
【００３５】
そして、ＴＶ１１０の受信部１１１６は、今度は他の機器から光検出通知を受信せずに、受信部１１１６が各機器からグループ名が付加された機器名を受信すると（Ｓ１３）、グルーピングテーブル１１１９に登録し（Ｓ１４）、同じ部屋のグループとして管理する。
【００３６】
さらに、光を検出してから所定時間（Ｔ２：例えば５秒）経過すると（Ｓ１５）、グルーピング処理を終了する。そして、一旦照明が消灯したのち、次の点灯時にまたグルーピング処理の動作を再開する。
【００３７】
同様に、ＳＰＫ１３０の動作について説明する。部屋の照明が点灯されると、ＳＰＫ１３０の光検出部１３１１は、ＴＶ１１０の光検出部１１１１と同様の動作で光を検出し（Ｓ１）、同一判定部１３１２に通知する。同一判定部１３１２は、光検出を通知された時刻を記憶し、他の機器から光検出通知を既に受信しているかどうか光検出部１３１１に返答する。光検出部１３１１は、他の機器から光検出通知を受信していなければ、光検出通知部１３１８に光を検出したことを通知する（Ｓ２）。
【００３８】
光検出通知部１３１８は、光検出部１３１１から通知を受けると、機器名記憶部１３１５に機器名（例えばＳＰＫとする）を問い合わせ、返答された機器名と共に光検出通知を生成し、送信部１３１７を介してネットワーク上にブロードキャストする（Ｓ９）。光検出受信部１３１３は、受信部１３１６を介して光検出通知を受信すると、受信した機器名と共に同一判定部１３１２に通知する。
【００３９】
同一判定部１３１２は、光検出受信部１３１３から通知されると、自身の光検出後、所定時間以内の受信か、また、既に光検出通知を自身が送出済みかどうか確認する（Ｓ１０）。この例では、既に、光検出通知を送出してるため、光検出の送出が衝突したと判定し、既に受信した他の機器名を登録したグルーピングテーブル１３１９をクリアし（Ｓ１１）、光検出通知の送出済み状態をクリアし、ランダムに決定される再送待ち時間（Ｔ１―ｔ２：例えば１ｓ）経過するのを待つ（Ｓ１２）。この例では、経過する前に、光検出受信部１３１３は、所定時間（Ｔ２）以内に受信部１３１６を介してＴＶ１１０からの光検出通知を受信し、受信した機器名と共に同一判定部１３１２に通知する。再送待ち時間（Ｔ１−ｔ２）が経過してしまった場合は、機器名と共に光検出通知を送信部１３１７を介してネットワーク上にブロードキャストする。
【００４０】
同一判定部１３１２は、光検出通知部１３１８から通知されると、部屋の照明検出から所定時間以内であることを確認し（Ｓ３）、受信した機器名（１ＦＴＶ）を名前生成部１３１４に通知する。名前生成部１３１４は、機器名記憶部１３１５に自機器の機器名（ＳＰＫ）を問い合わせ、受信した機器名（１ＦＴＶ）をグルーピング名とし、送信部１３１７を介して光検出通知を送信してきたＴＶ１１０に対して新たな機器名（１ＦＴＶ−ＳＰＫ）を送信する（Ｓ４）。また、グルーピング名の記憶を機器名記憶部１３１５に依頼する（Ｓ５）。他のＳＰＫ１３１やＶＴＲ１２０も同様の動作になるため、説明は省く。
【００４１】
また、別の部屋の照明が点灯された場合について説明する。２Ｆの子供部屋の照明が点灯すると、例えばＴＶ３１０から光検出通知をネットワークを介してブロードキャストする。１Ｆの居間にあるＶＴＲ１２０の光検出受信部１２１３は、受信部１２１６を介して光検出通知を受信すると（Ｓ６）、同一判定部１２１２に通知する。
【００４２】
同一判定部１２１２は、所定時間以内に光を検出したかどうか確認し（Ｓ７）、光を検出してなければ、受信した光検出通知を無視する（Ｓ８）。ここで、タイムラグを考慮し、光検出通知を受信してから所定時間（例えば１秒）待ってから光を検出したかどうか判定してもよい。
【００４３】
ここでは、照明の光であることを識別するために、照明の発信周波数とＡＣ電源の周波数を比較し、蛍光灯やＬＥＤ照明の光であると判定したが、自然光の照度変化はなめらかなため、単純に照度変化が所定時間（例えば５秒）継続することで、部屋の照明が点灯されたと判定してもよい。
【００４４】
（実施例２）
［部屋名＋機器名でグルーピング］
実施例１ではグループ名を光検出通知を送信した機器の機器名をグループ名としたが、ここでは、よりわかりやすい識別方法として、部屋名をグループ名とする例について説明する。
【００４５】
まず、各機器の部屋識別情報記憶部には、あらかじめ部屋名が設定されているとする。設定方法は各機器の一般的な設定方法とし、ここでは詳細を省く。例えば、ＴＶならば設定メニューに入って、リモコンで文字を選択することで部屋名を設定してもよい。VTRやＳＰＫならば、ＰＣのブラウザで設定画面にアクセスして、入力してもよい。
【００４６】
図８は、実施例２に係るＴＶ３１０の機能ブロック図である。ＴＶ３１０は、光検出部３１１１、同一判定部３１１２、光検出受信部３１１３、名前生成部３１１４、部屋識別情報記憶部３１１５、受信部３１１６、送信部３１１７、光検出通知部３１１８、およびグルーピングテーブル３１１９を有する。
【００４７】
図９は、実施例２に係るＶＴＲ３２０の機能ブロック図である。ＶＴＲ３２０は、光検出部３２３１、同一判定部３２１２、光検出受信部３２１３、名前生成部３２１４、部屋識別情報記憶部３２１５、受信部３２１６、送信部３２１７、光検出通知部３２１８、およびグルーピングテーブル３２１９を有する。
【００４８】
図１０は、実施例２に係るＳＰＫ３３０の機能ブロック図である。ＳＰＫ３３０は、光検出部３３１１、同一判定部３３１２、光検出受信部３３１３、名前生成部３３１４、部屋識別情報記憶部３３１５、受信部３３１６、送信部３３１７、光検出通知部３３１８、およびグルーピングテーブル３３１９を有する。
【００４９】
図１１は、実施例２の動作を示すシーケンス図である。部屋の照明が点灯され、ＴＶ３１０の光検出部３１１１が照度変化を検出すると、その照度変化の周波数とＡＣ電源の周波数の比較を開始する。ＡＣ電源の周波数より低ければ自然光の変化や家庭内での懐中電灯の検出等と判定し、検出を無視する。所定時間以上（例えば５秒）ＡＣ電源の周波数より高い周波数で照明の照度変化が継続した場合は、光検出したと判定し、同一判定部３１１２に通知する。
【００５０】
同一判定部３１１２は、光検出を通知された時刻を記憶し、他の機器から光検出通知を既に受信しているかどうか光検出部３１１１に返答する。光検出部３１１１は、他の機器から光検出通知を受信していなければ、光検出通知部３１１８に光を検出したことを通知する。
【００５１】
光検出通知部３１１８は、光検出部３１１１から通知を受けると、部屋識別情報記憶部３１１５に部屋名（例えば２Ｆ子供部屋）を問い合わせ、返答された部屋識別情報と共に光検出通知を生成し、送信部３１１７を介してネットワーク上にブロードキャストする。
【００５２】
ここで、光検出受信部３１１３は、所定時間以内に受信部３１１６を介して光検出通知を受信したとする。光検出受信部３１１３は、同一判定部３１１２に受信した部屋識別情報と共に光検出通知を受信したことを通知する。
【００５３】
同一判定部３１１２は、光検出受信部３１１３から通知されると、所定時間以内に光を検出しているかどうか、既に光検出通知を自身が送出済みかどうか確認する。この例では、既に、光検出通知を送出しているため、光検出の送出が衝突したと判定し、光検出通知の送出済み状態をクリアし、ランダムに決定される再送待ち時間（例えば５００ｍｓ）経過した後、再度、光検出通知を、送信部３１１７を介してネットワーク上にブロードキャストする。そして、ＴＶ３１０は、受信部３１１６が各機器から機器名を受信すると、グルーピングテーブル３１１９に登録し、同じ部屋のグループとして管理する。
【００５４】
同様に、ＳＰＫ３３０の動作について説明する。部屋の照明が点灯されると、ＳＰＫ３３０の光検出部３３１１は、照度変化を検出し、その照度変化の周波数とＡＣ電源の周波数の比較を開始する。ＡＣ電源の周波数より低ければ自然光の変化や家庭内での懐中電灯の検出等と判定し、検出を無視する。所定時間以上ＡＣ電源の周波数より高い周波数で照明の照度変化が継続した場合は、光検出したと判定し、同一判定部３３１２に通知する。
【００５５】
同一判定部３３１２は、光検出を通知された時刻を記憶し、他の機器から光検出通知を既に受信しているかどうか光検出部３３１１に返答する。光検出部３３１１は、他の機器から光検出通知を受信していなければ、光検出通知部３３１８に光を検出したことを通知する。
【００５６】
光検出通知部３３１８は、光検出部３３１１から通知を受けると、部屋識別情報記憶部３３１５に部屋識別情報（例えば２Ｆ子供部屋とする）を問い合わせ、返答された部屋識別情報と共に光検出通知を生成し、送信部３３１７を介してネットワーク上にブロードキャストする。光検出受信部３３１３は、受信部３３１６を介して光検出通知を受信すると、受信した部屋識別情報と共に同一判定部３３１２に通知する。
【００５７】
同一判定部３３１２は、光検出受信部３３１３から通知されると、所定時間以内に光を検出しているかどうか、既に光検出通知を自身が送出済みかどうか確認する。この例では、既に、光検出通知を送出しているため、光検出の送出が衝突したと判定し、光検出通知の送出済み状態をクリアし、ランダムに決定される再送待ち時間（例えば１ｓ）経過するのを待つ。経過する前に、光検出受信部３３１３は、所定時間以内に受信部３３１６を介してＴＶ３１０からの光検出通知を受信し、受信した部屋識別情報と共に同一判定部３３１２に通知する。再送待ち時間が経過してしまった場合は、部屋識別情報と共に光検出通知を、送信部３３１７を介してネットワーク上にブロードキャストする。
【００５８】
同一判定部３３１２は、光検出受信部３３１３から通知されると、部屋の照明検出から所定時間以内であることを確認し、受信した部屋識別情報（２Ｆ子供部屋）を名前生成部３３１４に通知する。名前生成部３３１４は、部屋識別情報記憶部３３１５に自機器の機器名（ＳＰＫ）を問い合わせ、受信した部屋識別情報（２Ｆ子供部屋）をグループ名とし、送信部３３１７を介して光検出通知を送信してきたＴＶ３１０に対して新たな機器名（２Ｆ子供部屋−ＳＰＫ）を送信する。また、グルーピング名の記憶を部屋識別情報記憶部３３１５に依頼する。
【００５９】
他のＳＰＫ３３１やＶＴＲ３２０も同様の動作になるため、説明は省く。また、光検出通知が衝突しない場合の動作例は、機器名を送信する代わりに部屋識別情報を送信する点と、機器名記憶部が部屋識別情報記憶部に変わる点以外は実施例１と同様のため、説明を省く。
【００６０】
ここでは、照明の光であることを識別するために、照明の発信周波数とＡＣ電源の周波数を比較し、蛍光灯やＬＥＤ照明の光であると判定したが、自然光の照度変化はなめらかなため、照度変化が所定時間（例えば５秒）継続することで、部屋の照明が点灯されたと判定してもよい。
【００６１】
（実施例３）
［部屋名＋機器名（代表）］
ここでは、１台の代表機器が光検出通知を送出する例について説明する。なお、送信する部屋識別情報は、実施例２のように、あらかじめ設定されているとする。
【００６２】
図１２は、実施例３に係るＴＶ１１０の機能ブロック図である。実施例３に係るＴＶ１１０の構成は、機器名記憶部１１１５に代えて部屋識別情報記憶部１１２０が設けられている点以外は、実施例１に係るＴＶ１１０と同様である。
【００６３】
図１３は、実施例３に係るＶＴＲ１２０の機能ブロック図である。実施例３に係るＶＴＲ１２０の構成は、機器名記憶部１２１５の代えて部屋識別情報記憶部１２２０が設けられており、またグルーピングテーブル１２１９が設けられていない点以外は、実施例１に係るＶＴＲ１２０と同様である。
【００６４】
図１４は、実施例３に係るＳＰＫ１３０の機能ブロック図である。実施例３に係るＳＰＫ１３０の構成は、機器名記憶部１３１５に代えて部屋識別情報記憶部１３２０が設けられており、またグルーピングテーブル１３１９が設けられていない点以外は、実施例１に係るＳＰＫ１３０と同様である。
【００６５】
図１５は、実施例３の動作を示すシーケンス図である。図１６は、実施例３の代表機器の動作を示すフローチャートである。図１７は、実施例３の機器動作を示すフローチャートである。以下、図１５〜図１７に関連して実施例３のシステムの動作について説明する。
【００６６】
部屋の照明が点灯され、ＴＶ１１０の光検出部１１１１は、実施例１と同様の動作により光検出したと判定し（Ｓ１０１）、同一判定部１１１２に通知すると共に、光検出通知部１１１８に光を検出したことを通知する。同一判定部１１１２は、光検出を通知された時刻を記憶する。
【００６７】
光検出通知部１１１８は、光検出部１１１１から通知を受けると、部屋識別情報記憶部１１２０に部屋名（例えば１Ｆ居間とする）を問い合わせ、返答された部屋識別情報と共に光検出通知を生成し、送信部１１１７を介してネットワーク上にブロードキャストする（Ｓ１０２）。
【００６８】
次に、光検出通知を受信したときの処理についてＳＰＫ１３０を例に説明する。ＴＶ１１０と同様に、ＳＰＫ１３０も部屋の照明が点灯されると、光検出部１３１１は、光検出したと判定し（Ｓ１０６）、同一判定部１３１２に通知する。同一判定部１３１２は、光が検出されたことを通知されると、通知した時刻を記憶する。光検出受信部１３１３は、時間Ｔ２を経過前に、受信部１３１６を介して光検出通知を受信すると（Ｓ１０７、Ｓ１１１）、受信した部屋識別情報と一緒に同一判定部１３１２に通知する。
【００６９】
同一判定部１３１２は、光検出通知部１３１８から通知されると、光を検出した時刻から所定時間（Ｔ３：例えば５００ｍｓ）以内かどうか判定し（Ｓ１０８）、所定時間以内であれば、受信した部屋識別情報（１Ｆ居間）を名前生成部１３１４に通知する。
【００７０】
名前生成部１３１４は、機器名記憶部１３１５に自機器の機器名（ＳＰＫ）を問い合わせ、受信した部屋識別情報（１Ｆ居間）をグループ名とし、送信部１３１７を介してＴＶ１１０に対して新たな機器名（１Ｆ居間−ＳＰＫ）を送信する（Ｓ１１０）。また、グループ名の記憶を機器名記憶部１３１５に依頼する（Ｓ１０９）。
【００７１】
ＴＶ１１０は、受信部１１１６が各機器から機器名を受信すると（Ｓ１０３）、グルーピングテーブル１１１９に登録し（Ｓ１０４）、同じ部屋のグループとして管理する。さらに、光を検出してから所定時間（Ｔ１：例えば５秒）経過すると（Ｓ１０５）、グルーピング処理を終了する。そして、一旦照明が消灯したのち、次の点灯時にまたグルーピング処理の動作を再開する。他のＳＰＫ１３１やＶＴＲ１２０も動作は同様のため、説明は省く。
【００７２】
また、別の部屋の照明が点灯された場合について説明する。２Ｆの子供部屋の照明が点灯すると、例えばＴＶ３１０から光検出通知を、ネットワークを介してブロードキャストする。１Ｆの居間にあるＶＴＲ１２０の光検出受信部１２１３は、受信部１２１６を介して光検出通知を受信すると（Ｓ１１２）、同一判定部１２１２に通知する。同一判定部１２１２は、光を検出せずに受信したので、この光検出通知を無視する（Ｓ１１３）。ここで、タイムラグを考慮し、光検出通知を受信してから所定時間（例えば１秒）待ってから光を検出したかどうか判定してもよい。
【００７３】
ここでは、照明の光であることを識別するために、照明の発信周波数とＡＣ電源の周波数を比較し、蛍光灯やＬＥＤ照明の光であると判定したが、自然光の照度変化はなめらかなため、照度変化が所定時間（例えば５秒）継続することで、部屋の照明が点灯されたと判定してもよい。
【００７４】
（実施例４）
［電源が入ってないとき］
部屋の照明が点灯されたときに、節電のために必ずしも代表機器の電源が入っていない場合もある。そこで、実施例３において代表機器（ＴＶ３１０）の電源が入っていなかった場合の動作について説明する。
【００７５】
部屋の照明が点灯されたときに、代表機器から光検出通知が来なければ、別の機器が光検出通知をブロードキャストする。タイムアウト時間はランダムとする。機器の優先順位を機種毎に決めておいてもよい。部屋識別情報は、受信済みのグループ名か、機器名か、一時グループとする。
【００７６】
実施例４に係るシステムの構成は、実施例２と同様である。以下、上述の実施例と同様の個所については同一の符号を付して説明を省略する。図１８は、実施例４の動作を示すシーケンス図である。図１９は、実施例４の動作を示すフローチャートである。以下、実施例４のシステムの動作について、図１８および図１９の双方に関連して説明する。
【００７７】
部屋の照明が点灯されると、ＶＴＲ３２０の光検出部３２１１は、上述された動作と同様に光検出したと判定し（Ｓ２０１）、同一判定部３２１２に通知する。同一判定部３２１２は、光検出を通知された時刻を記憶し、他の機器の光検出通知の受信を待つ（Ｓ２０２）。この例では、ＴＶ３１０の電源が入っておらず、光検出通知がブロードキャストされないため、同一判定部３２１２は、所定時間Ｔ１（たとえば５００ｍｓとする）の経過を検出し（Ｓ２０８）、光検出部３２１１に通知する。光検出部３２１１は、所定時間の経過を通知されると、光検出通知部３２１８に光を検出したことを通知する。
【００７８】
光検出通知部３２１８は、光検出部３２１１から通知を受けると、部屋識別情報記憶部３２１５に部屋識別情報（例えば２Ｆ子供部屋とする）を問い合わせる。実施例３のように、通常の動作がなされていると、部屋識別情報記憶部には、「２Ｆ子供部屋」が記憶されているので、部屋識別情報記憶部３２１５は、記憶してある部屋識別情報を返答する。光検出通知部３２１８は、返答された部屋識別情報と共に光検出通知を生成し、送信部３２１７を介してネットワーク上にブロードキャストする（Ｓ２０９）。ここで、一度も実施例３のような通常の動作がなされていないと、部屋識別情報記憶部３２１５には、部屋識別情報が記憶されていない。そこで、この場合は、光検出通知部３２１８は、自機器の機器名を部屋識別情報記憶部３２１５に問い合わせ、返答された機器名をグループ名として光り検出通知を生成し、送信部３２１７を介してネットワーク上にブロードキャストする（Ｓ２０９）。
【００７９】
光検出通知を受信したときの動作についてＳＰＫ３３０を例に説明する。光検出部３３１１は、ＶＴＲ３２０と同様に部屋の照明の点灯を検出すると（Ｓ２０１）、同一判定部３３１２に通知する。同一判定部３３１２は、通知された時刻を記憶し、光検出通知の受信を待つ（Ｓ２０２）。光検出受信部３３１３は、受信部３３１６を介して光検出通知を受信すると、受信した機器名と共に同一判定部３３１２に通知する。同一判定部３３１２は、光検出通知部３３１８から通知されると、所定時間（Ｔ２：例えば１秒）以内の受信であることを確認し（Ｓ２０３）、所定時間以内であれば受信したグループ名（２Ｆ子供部屋）を名前生成部３３１４に通知する。
【００８０】
名前生成部３３１４は、部屋識別情報記憶部３３１５に自機器の機器名（ＳＰＫ）を問い合わせ、受信したグループ名（２Ｆ子供部屋）を付加し、送信部３３１７を介して光検出通知を送信してきた機器に対して新たな機器名（２Ｆ子供部屋−ＳＰＫ）を送信する（Ｓ２０５）。また、グループ名の記憶を機器名記憶部１３１５に依頼する（Ｓ２０４）。
【００８１】
ＶＴＲ３２０は、受信部３２１６が各機器から機器名を受信すると（Ｓ２１０）、グルーピングテーブル３２１９に登録し（Ｓ２１１）、同じ部屋のグループとして管理する。さらに、光を検出してから所定時間（Ｔ３：例えば５秒）経過すると（Ｓ２１２）、グルーピング処理を終了する。そして、一旦照明が消灯したのち、次の点灯時にまたグルーピング処理の動作を再開する。他のＳＰＫ１３１も動作は同様のため、説明は省く。
【００８２】
以上、説明したように、代替え機が受信済みのグループ名を代表の代わりに送信することで、たまたま代表機（ＴＶ３１０）に電源が入っていない場合でも、普段と同様に使用することが可能となる。
【００８３】
グループ名を受信してなければ、一時的に代替え機の機器名でグルーピングされるが、次に代表機（ＴＶ３１０）の電源が入ったときに、通常のグルーピングがなされるので、それまで一時的に同じ部屋の機器を識別することが可能となる。また、ここでは代替え機の機器名を送信する例を示したが、「一時グループ」など、一時的なグループ名ということがわかるようにしてもよい。このことで、代表機の電源が入っていないことが認識できるようになる。
【００８４】
光検出通知の受信待ちの時間であるが、ＳＰＫ３３０、３３１のタイムアウト時間（ｔ３）をＶＴＲ３２０のタイムアウト時間（ｔ４）よりも長くしておく。このように、機器の種別によりタイムアウト時間を変更させることで、代替え機の決定方法を単純化したが、実施例１のように、所定時間Ｔ３をランダムにしてもよい。この場合は、実施例１のように、グループ名の送信が衝突した場合は、さらに、所定時間経過するまで待ち、グループ名の再送処理を行うことになる。
【００８５】
また、実施例３と同様に、光を検出せずに光検出通知を受信した場合は無視する（Ｓ２０６、Ｓ２０７）。ここでは、照明の光であることを識別するために、照明の発信周波数とＡＣ電源の周波数を比較し、蛍光灯やＬＥＤ照明の光であると判定したが、自然光の照度変化はなめらかなため、照度変化が所定時間（例えば５秒）継続することで、部屋の照明が点灯されたと判定してもよい。
【００８６】
（実施例５）
［機器名かんたん設定法］
ここでは、部屋の識別子の設定について説明する。図２０は、照明の照度変化のパターンと部屋識別情報の対応テーブルの一例を示す図である。図２０のような部屋コード表をあらかじめ持っている。上記の実施例では、光検出部３１１１は、照明の照度変化を検出し、その照度変化の周波数がＡＣ電源周波数より、高いか、低いかで部屋の照明の点灯と判定していたが、ここでは、さらに、ＡＣ電源周波数より低い周波数での照度変化のパターンを検出する。
【００８７】
例えば、２秒間の間に照度変化をＡＣ電源周波数より高ければ１、低ければ０とする。そして、そのパターンを検出すると、部屋コード表で対応された部屋の場所を部屋識別情報とする。部屋コード表の例を表１に示す。表１の例では、１０秒のうち、２秒ごとに照明を点灯させたり、消灯させることでパターンコードを指定できる。ユーザは、ＴＶ画面に表示した文字をリモコンでカーソルを移動させながら選択させることなく、２秒ごとに照明を点灯、消灯させるだけで部屋識別情報を設定することが可能となる。
【００８８】
指定したい部屋情報があらかじめ決められた部屋情報にあれば上記の方法で問題ないが、ユーザによっては、独自の部屋情報を指定したい場合がある。図２１は、モールス信号と部屋識別情報の例を示す図である。この場合は、図２１のように、モールス信号の点灯パターンをユーザがＯＮ／ＯＦＦすることで、ユーザの好きな部屋情報を設定することができる。
【００８９】
ここでは、２秒間でＡＣ電源周波数より低い場合を０、高い場合を１としたが、ＬＥＤ照明のように高速に発信できるような場合は、逆に、通常照明時よりも高い周波数のＯＮ／ＯＦＦをコードとして検出してもよい。
【００９０】
以上のように設定された部屋識別情報をグループ名として実施例１〜実施例４と同様の動作を行なう。また、パターンを検出した時点で、検出した部屋識別情報を自身の機器名に付加してもよい。
【００９１】
本発明は上述の各実施例に限定されるものではなく、各実施例の各要素を適宜組み合わせたものも、本発明の実施例として有効である。また、当業者の知識に基づいて各種の設計変更等の変形を各実施例に対して加えることも可能であり、そのような変形が加えられた実施例も本発明の範囲に含まれうる。
【符号の説明】
【００９２】
１１０  ＴＶ、  １２０  ＶＴＲ、  １３０，１３１  ＳＰＫ、  ２２０  ＶＴＲ、  ３１０  ＴＶ、  ３２０  ＶＴＲ、  ３３０，３３１  ＳＰＫ。
【図１】
2011114808.tif 000003
【図２】
2011114808.tif 000004
【図３】
2011114808.tif 000005
【図４】
2011114808.tif 000006
【図５】
2011114808.tif 000007
【図６】
2011114808.tif 000008
【図７】
2011114808.tif 000009
【図８】
2011114808.tif 000010
【図９】
2011114808.tif 000011
【図１０】
2011114808.tif 000012
【図１１】
2011114808.tif 000013
【図１２】
2011114808.tif 000014
【図１３】
2011114808.tif 000015
【図１４】
2011114808.tif 000016
【図１５】
2011114808.tif 000017
【図１６】
2011114808.tif 000018
【図１７】
2011114808.tif 000019
【図１８】
2011114808.tif 000020
【図１９】
2011114808.tif 000021
【図２０】
2011114808.tif 000022
【図２１】
2011114808.tif 000023